(57)【要約】【課題】吸収体のうち圧搾溝を形成する領域におけるフィット性を向上させ、且つ、横漏れや背腹漏れを抑制することができる吸収性物品を提供する。【解決手段】液透過性の表面シート１４と、液不透過性の裏面シート１２と、前記表面シート１４と前記裏面シート１２との間に配置された吸収体１３とを備える吸収性物品１０であって、前記吸収体１３には、圧縮して形成された複数の凹部２０が形成された凹部形成領域Ｎ１が設けられ、前記凹部形成領域Ｎ１には、前記凹部形成領域Ｎ１以外の領域Ｎ２における前記吸収体１３の坪量よりも低い領域が設けられる。【選択図】図５
2019024606.tif 000002
【特許請求の範囲】
【請求項１】
液透過性の表面シートと、液不透過性の裏面シートと、前記表面シートと前記裏面シートとの間に配置された吸収体とを備える吸収性物品であって、
前記吸収体には、圧縮して形成された複数の凹部が形成された凹部形成領域が設けられ、
前記凹部形成領域には、前記凹部形成領域以外の領域における前記吸収体の坪量よりも低い領域が設けられることを特徴とする吸収性物品。
【請求項２】
前記凹部形成領域は、前記吸収体の中央領域を含むことを特徴とする請求項１に記載の吸収性物品。
【請求項３】
前記吸収体の前記中央領域には、前記凹部形成領域以外の領域における前記吸収体の坪量よりも低い領域が設けられることを特徴とする請求項２に記載の吸収性物品。
【請求項４】
前記複数の凹部は、全体として格子模様を形成していることを特徴とする請求項１から請求項３のいずれか一項に記載の吸収性物品。
【発明の詳細な説明】
【技術分野】
【０００１】
本発明は、液透過性のトップシートと、液不透過性のバックシートと、これらの間に配置される吸収体とを有する吸収性物品に関する。
【背景技術】
【０００２】
従来、排出された体液（以下、単に「体液」とも言う）を吸収体に誘導して吸収させる使い捨ておむつ（以下、単に「おむつ」とも言う）等の吸収性物品が広く知られている。吸収体は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性本体を、ティシュや不織布等の被覆部材によって包んだものである。この吸収体は、トップシートやバックシートと比較して厚いものとなっており、着用者の肌にうまくフィットするように折れ曲がりにくい場合がある。
【０００３】
そこで、例えば、特許文献１には、吸収体に複数の圧搾溝を形成し、その圧搾溝において折れ曲げやすくすることにより、着用者の肌に対するフィット性の向上を図った使い捨ておむつが開示されている。
【先行技術文献】
【特許文献】
【０００４】
【特許文献１】特開２０１５−０１６２１８号公報
【発明の概要】
【発明が解決しようとする課題】
【０００５】
しかしながら、特許文献１に記載の吸収性物品では、圧搾溝は吸収体を圧縮して形成されているので、その圧搾溝の底部分および側壁部分は高密度となって固くなっており、想定されていた折れ曲がりやすさを実現できないおそれがあった。また、特許文献１に記載の吸収性物品では、吸収体表面の全域に亘って圧搾溝が形成されているので、例えば、体液が当該圧搾溝を通って吸収体の端部まで至り、勢い付いた体液によって横漏れや背腹漏れが発生する可能性があった。
【０００６】
本発明の目的は、前記の態様も含め、吸収体のうち圧搾溝を形成する領域におけるフィット性を向上させ、且つ、横漏れや背腹漏れを抑制することができる吸収性物品を提供することにある。
【課題を解決するための手段】
【０００７】
本発明による吸収性物品は、液透過性の表面シートと、液不透過性の裏面シートと、前記表面シートと前記裏面シートとの間に配置された吸収体とを備える吸収性物品であって、前記吸収体には、圧縮して形成された複数の凹部が形成された凹部形成領域が設けられ、前記凹部形成領域には、前記凹部形成領域以外の領域における前記吸収体の坪量よりも低い領域が設けられることを特徴とするものである。
【発明の効果】
【０００８】
本発明によれば、凹部が形成される領域の坪量が低くなるので、その領域において柔らかくなって折り曲がり易くなる結果、吸収性物品のフィット性を向上させることが可能となる。また、凹部が形成されていない領域により、横漏れや背腹漏れを抑制することが可能となる。
【図面の簡単な説明】
【０００９】
【図１】本発明の一実施形態に係るおむつの一例の外観において、正面側から見た斜視図である。
【図２】図１に示すおむつの分解斜視図である。
【図３】本発明の一実施形態に係る、伸張状態のおむつをトップシート側から見た平面図である。
【図４】本発明の一実施形態に係る、吸収体をトップシート側から見た平面図であり、複数の凹部が形成された凹部形成領域の一例を説明するための図である。
【図５】図３におけるＶ−Ｖ方向断面図である。
【発明を実施するための形態】
【００１０】
本発明による吸収性物品の実施形態について、図１から図５を参照しながら詳細に説明する。ただし、本発明は本実施形態の態様に限定されるものではない。
【００１１】
先ず、本発明を展開型使い捨ておむつに応用した実施形態を以下に説明する。
【００１２】
＜おむつの主な構成＞  
図１に本発明の一実施形態に係るおむつの一例の外観において、正面側から見た斜視図を示す。本実施形態に係るおむつ１０は、展開型使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。
【００１３】
着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太股あたりのいずれかに位置することとなる。
【００１４】
仮想線Ｐは、おむつ中央部において腹側から背側に向かって、股下部分を通って延びるものである。具体的には、仮想線Ｐは、例えば、おむつのウエスト側を上、股下側を下として定義すると、おむつ表面に沿って、かつ上下方向に延びると共に、股下部分を経由して、背側においても上下方向に延びるものである。
【００１５】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接着されている。このファスニングテープ１０Ａは、前身頃領域１０Ｆのカバーシート１１上に接着されたフロントパッチシート１０Ｂに対して繰り返し剥離可能に接合される。
【００１６】
図２は、図１に示すおむつ１０の模式的な分解斜視図であり、図３は、本発明の一実施形態に係る、伸張状態のおむつ１０をトップシート１４側から見た平面図である。図２の吸収体１３および図３のおむつ１０については、説明の便宜上、部分的に破断した状態をそれぞれ示している。
【００１７】
図２に示すように、本実施形態におけるおむつ１０は、外側から順に、良好な手触りを得るために薄い不織布にて形成されるカバーシート１１と、液不透過性を有するバックシート（裏面シート）１２と、吸収体１３と、液透過性を有するトップシート（表面シート）１４と、一対のサイドシート１５と、を重ねた積層構造を有しているものである。
【００１８】
本実施形態では、図３に示すように、吸収体１３には、圧縮して形成された複数の凹部２０が形成される領域（後述する凹部形成領域Ｎ１）が存在する。すなわち、凹部形成領域Ｎ１の一部において凹部２０が複数形成されている。図３に示すように、凹部２０が形成されることで、凹部２０において折れ曲がりやすくなって、おむつ１０のフィット感を向上させることが可能となる。さらに、本実施形態では、詳細は後述するが、凹部２０が形成されている領域の坪量が、それ以外の領域よりも低くなっているので、単に凹部２０を設けた場合よりも、吸収体１３が柔らかくなって折れ曲がりやすくなっており、おむつ１０のフィット性が向上している。また、凹部２０が連続的に形成されることで、空気が腹側または背側に通り抜けることができるようになり、通気性を確保することが可能となる。加えて、排出された体液を、迅速に拡散させて、吸収体１３を全体的に使用して効率よく吸収体１３に吸収させることが可能となる。
【００１９】
なお、本発明において、複数の凹部２０とは、各々が物理的に連続していない複数の個別の凹部２０、に加えて、複数の構成単位としての凹部２０が重なりあって形成される物理的に連続したものをも包含する概念である。前記構成単位としては、直線、およびその途中に屈曲（角）を有しない連続した曲線などが挙げられるがこれらに限られない。
【００２０】
例えば、トップシート１４と吸収体１３とが接する面には接着剤が塗布され、凹部２０は、吸収体１３とトップシート１４の積層体（以下、「吸収部分」とも言う）を圧搾することで設けられる。この圧搾は、例えば、エンボスロールによって行われる。これにより、凹部２０の底面（底壁）から壁面（側壁）にわたる凹部２０全体において、トップシート１４と吸収体１３が咬み合い、一体的に接合される。凹部２０の底部分におけるトップシート１４と吸収体１３とからなる厚み（吸収部分の厚み）は、圧搾しない場合の厚みの約１／２〜１／７程度が好ましい。更に好ましくは約１／４〜１／７程度である。この構成により、トップシート１４と吸収体１３とを一体的に形成するので、トップシート１４と吸収体１３がしっかりと接合しトップシート１４が剥がれにくく、排尿後で吸収体１３が膨らんだ場合でも、トップシート１４が溝に沿った状態になり、溝が維持される。
【００２１】
また、本実施形態では、詳細は後述するが、後述の図４および図５に示すように、吸収体１３には、圧縮して形成された複数の凹部２０が形成された凹部形成領域Ｎ１と、凹部２０が形成されていない凹部非形成領域Ｎ２が設けられ、凹部形成領域Ｎ１には、凹部非形成領域Ｎ２における吸収体１３の坪量（目付け）よりも低い領域が設けられている。
【００２２】
図２および図３に戻り、カバーシート１１の股下領域１０Ｃの左右両側には、それぞれ脚周り開口部１０Ｌとなる一対の切欠き部１１Ｎが形成されている。カバーシート１１と一対のサイドシート１５との間には、脚周りギャザーを形成するための一対の糸ゴム１６がそれぞれ伸張状態で接着されている。
【００２３】
トップシート１４は、液透過性を有する不織布などで構成される。バックシート１２は、カバーシート１１に接合され、吸収体１３は、このバックシート１２とトップシート１４との間に配置され、この吸収体１３を介してトップシート１４がバックシート１２に接合される。また、バックシート１２のうち、後身頃領域１０Ｒの上端部に対応する領域には、バックシート１２の幅方向に沿って延び、着用者に対してウエスト周りに適度な着用感を与えるための弾性シート１０Ｄが接合されている。
【００２４】
トップシート１４の下に位置する本実施形態の吸収体１３は、主にパルプとＳＡＰとからなる吸収性コア１７を、ティシュや不織布等の被覆部材（コアラップ）１８によって被覆したものである。吸収性コア１７を被覆部材１８により包むことで形成される継ぎ目は、例えば、図２に示すように、吸収体１３の上面であって長手方向に延びるように形成される。本実施形態の吸収体１３は、前身頃、股下、後身頃に亘るように、細長い形状をしている。そして、吸収体１３は、後述の図４に示すように、後身頃部分Ｍ１、股下部分Ｍ２、前身頃部分Ｍ３に三区分されている。ここで、前身頃部分Ｍ３から後身頃部分Ｍ１を前後（上下）方向とし、それに直交する方向を左右方向とすると、本実施形態の吸収体１３は、前後（上下）左右の長さが異なる矩形のものである（図２および図３では、前後（上下）の長さが左右の長さより長くなっている）。なお、本実施形態の吸収体１３の形状はこれに限らず、例えば、前後（上下）左右の長さが同程度の略正方形のもの、前後（上下）端の角が丸く落とされているもの、前後（上下）に延びる楕円形のもの、円形のもの等、さまざまな形状を含む。また、吸収体１３の股下部分Ｍ２には、一対の脚周り開口部１０Ｌに対応するように、円弧状をなす一対の切欠き部が形成されても良い。なお、本実施形態に係るおむつ１０では、被覆部材１８で包まれた吸収体１３を用いているが、本発明に係る吸収性物品は、被覆部材１８で包まれていない吸収性コア１７を用いてもよい。
【００２５】
本実施形態におけるトップシート１４の幅方向の左右両側縁部には、立体ギャザーを形成する疎水性の一対のサイドシート１５が備えられている。一対のサイドシート１５は、着用時に吸収体１３の左右両側縁部に沿って起立し、排出された体液の横漏れを防止するための部材である。一対のサイドシート１５の外側端縁部には、カバーシート１１の一対の切欠き部１１Ｎと同様の形状に切欠き部１５Ｎが形成されている。一対のサイドシート１５のそれぞれには、その内側端縁部を吸収体１３側に折り返して把持させる形で立体ギャザー伸縮材としての糸ゴム１９が伸張状態で配置される。一対のサイドシート１５は、糸ゴム１９が収縮した際に、着用者の肌当接方向に向かって立ち上がる。立体ギャザーは従来の使い捨ておむつに用いられている公知の構成を採用することができる。例えば、撥水性シートの層間に伸張状態の立体ギャザー伸縮材を挟み込んで固定することにより、形成することができる。
【００２６】
＜凹部形成領域＞  
図４は本発明の一実施形態に係る、吸収体１３をトップシート１４側から見た平面図であり、圧縮して形成された複数の凹部２０が形成された吸収体１３の領域（以下、「凹部形成領域」とも言う）の一例を説明するための図である。また、図５は、図３におけるＶ−Ｖ方向断面図である。図５の断面図において、吸収体１３の密度の高さをドットの疎密で表現している。
【００２７】
本実施形態では、吸収体１３には複数の凹部２０が形成され、複数の凹部２０は全体として格子模様を形成している。具体的には、複数の凹部２０は、図２および図３に示すように、吸収体１３の表面に斜め格子状に延びて形成されている。仮想線Ｐの吸収体１３上での位置は、図４に示すように、前身頃部分Ｍ３上端から後身頃部分Ｍ１下端に向かって延びるものとなっており、仮想線Ｐは、吸収体１３が細長い形状である場合、長手方向に延びるものである。複数の凹部２０はそれぞれ、この仮想線Ｐに対して左右に傾斜して延びている。
【００２８】
上記凹部形成領域は、例えば、複数の凹部２０の両側端部（図４では凹部２０の左右の端部）に接するように吸収体１３の長手方向に延びる略矩形領域でありうる。この矩形領域は、図４に示すように、凹部２０が形成されている吸収部分の領域として、凹部形成領域Ｎ１で表すことができる。また、凹部形成領域Ｎ１以外の領域（つまり凹部２０が形成されていない領域）を凹部非形成領域Ｎ２とする。この構成により、凹部非形成領域Ｎ２が堰の役割を果たし、凹部２０を伝ってきた体液を堰き止め（または体液の勢いを弱め）ることができるため、横漏れすることを抑止することが可能となる。なお、本実施形態では、凹部形成領域Ｎ１の形状は、略矩形であるが、本発明の効果を発揮するならば、多角形、円、楕円に類する形状など様々な形状を採用しうる。本実施形態において、凹部形成領域Ｎ１は、おむつ１０の吸収部分の幅方向（図４における左右方向）の端部まで形成されているのではなく、中央部に長手方向（図４における上下方向）に沿った帯状に形成されている。しかし、本発明は、凹部形成領域Ｎ１の位置や大きさをなんら限定するものではなく、例えば、凹部形成領域Ｎ１が吸収体１３の長手方向（図４における上下方向）の端部まで形成されない態様も許容するものである。この場合、凹部非形成領域Ｎ２が吸収体１３の長手方向の端部に形成されるので、体液が凹部２０を伝って背腹漏れすることを抑止することができる。なお、凹部非形成領域Ｎ２は、これらの態様に限られず、横漏れや背腹漏れを抑制できるという本発明の効果を奏する範囲において、吸収体１３のいずれの位置に設けられてもよい。また、凹部形成領域Ｎ１が設けられている範囲は、本実施形態では、前身頃部分Ｍ３、股下部分Ｍ２、後身頃部分Ｍ１に亘っているが、これに限られず、例えば、股下部分Ｍ２のみであってもよい。
【００２９】
本発明において、凹部形成領域Ｎ１は、本実施形態の図４に示すように、複数の凹部２０の最も外側（吸収体１３の端縁側）に位置する端部を順に直線で結んで形成される矩形領域であって複数の凹部２０を包含する領域であり得るほか、以下のようにも定義され得る。すなわち、平面視した吸収体１３の表面に、特定の径を有する仮想的な円を置いた際に、その円の範囲の少なくとも一部が凹部２０の少なくとも一部と重複している場合、その円の範囲下（平面視でその円の範囲と重複する吸収体１３の部分（したがって厚み方向を含む。））を凹部形成領域Ｎ１の一部とする。凹部形成領域Ｎ１の全体は、前記仮想的な円を、平面視した吸収体１３の少なくとも一部と重複する範囲において吸収体１３の表面全体にくまなく移動させた場合における、前記凹部２０の少なくとも一部と重複する円の範囲の総和と等しいものになる。ここで、上記円の径は、設計上、例えば２０〜３０ｍｍの範囲の中から選択されうるものであり、例えば２０ｍｍまたは３０ｍｍなどとすることができる。しかし、場合によっては、この範囲内の値に限らず、例えば、５〜５０ｍｍの範囲の中から選択したうえで吸収体１３の各領域の坪量を設計してもよい。
【００３０】
凹部２０は、上述した液拡散性、通気性、フィット性の観点から、吸収体１３の中央領域に形成されることが好ましい。よって、凹部形成領域Ｎ１は、吸収体１３の中央領域を含むことが好ましい。ここで、本発明の吸収体１３の中央領域とは、例えば排尿などの液体と最初に接触する領域およびその付近の領域のことをいう。なお、吸収体１３の中央領域は、吸収性物品の着用者の体格や性別等によって変化させることが可能である。典型的には、吸収体１３の中央領域は、吸収体１３を前端から後端にわたる全長を、仮想的に単純に３等分に分割した際に吸収体の長手方向に順番にできる領域のうちの中央の領域として設定することができる。なお、前記分割の割合は、前端：中央：後端を前記のように１／３：１／３：１／３としてもよいが、それに限られず、例えば、１／５〜２／５：１／５〜１／２：１／５〜２／５の範囲などとすることもでき、特に限定はない。具体的には、１／５：３／５：１／５とする形態や、２／５：１／５：２／５とする形態が挙げられる。本実施形態では、吸収体１３の中央領域は、図４に示すように、股下部分Ｍ２と凹部形成領域Ｎ１とが重なっている領域Ｍ２・Ｎ１で示される。なお、本実施形態では、凹部形成領域Ｎ１は、図４に示すように、中央領域Ｍ２・Ｎ１を含んでいるが、本発明ではこれに限られず、中央領域Ｍ２・Ｎ１の一部や全部を含まない場合も許容するものである。
【００３１】
凹部形成領域Ｎ１の一部（または全部）の領域における吸収体１３の吸収性コア１７の坪量は、凹部非形成領域Ｎ２における吸収体１３の吸収性コア１７の坪量よりも低くなっている。その結果、上述したように、凹部形成領域Ｎ１には、凹部非形成領域Ｎ２における吸収体１３の坪量よりも低い領域が設けられている。この態様により、凹部形成領域Ｎ１の吸収体１３の密度が低くなるので、その領域において柔らかくなり、折れ曲がり易くなっている。よって、着用者の動きに追従しやすくなるため、おむつ１０のフィット性を向上させることができる。また、その領域において柔らかくなるので肌触りも良くなっている。本実施形態では、凹部非形成領域Ｎ２における吸収体１３の坪量よりも低い領域は、凹部形成領域Ｎ１の全部に形成されているが、本発明では、凹部形成領域Ｎ１の一部に形成されてもよい。特に、この坪量が低い領域が、吸収体１３の中央領域Ｍ２・Ｎ１に設けられることで、股下部分Ｍ２において折れ曲がりやすさを確保することが可能となる。坪量の低い領域については、その大きさや形態は任意ではあるが、折れ曲がりやすさを確保するために、例えば、その総和の面積が、凹部形成領域Ｎ１の総面積のうちの３０％以上とすることが好ましい。この割合は、４０％以上とすることがさらに好ましく、また、５０％、６０％、７０％、８０％、９０％あるいは１００％などと増大させることにより、さらに好ましい折れ曲がりやすさを確保することが可能となる。さらに、中央領域Ｍ２・Ｎ１のみに注目して、坪量の低い領域は、中央領域Ｍ２・Ｎ１の総面積のうちの３０％以上とすることが好ましい。この割合は、４０％以上とすることがさらに好ましく、また、５０％、６０％、７０％、８０％、９０％あるいは１００％などと増大させることにより、さらに好ましい折れ曲がりやすさを確保することが可能となる。
【００３２】
本実施形態では、上述したように、吸収体１３において、凹部形成領域Ｎ１における坪量は、凹部非形成領域Ｎ２における坪量よりも低くなっている。本発明者は、本発明の効果を有効に発揮するうえで、凹部非形成領域Ｎ２全体としての吸収性コア１７の坪量の好適な範囲が９０ｇ／ｍ2から３００ｇ／ｍ2であり、凹部形成領域Ｎ１全体としての吸収性コア１７の坪量の好適な範囲が６３ｇ／ｍ2から２７０ｇ／ｍ2であり、凹部非形成領域Ｎ２における吸収性コア１７の坪量に対する凹部形成領域Ｎ１における吸収性コア１７の坪量の割合の好適な範囲が７０％から９０％であることを発見した。
【００３３】
本実施形態に係るおむつ１０の吸収部分は、例えば、以下のような工程（１）から（６）によって形成される。吸収体マット（この工程の説明では被覆部材１８を含まない吸収性コア１７を表す）は、パルプと粉状のＳＡＰと混ぜ合わせて、例えば、２つのフォーミングドラムのフィルタに向けて吹き付けて形成される。  
（１）先ず、第１のフォーミングドラムによって、厚さが一定の吸収体マットを作成する。  
（２）次に、第２のフォーミングドラムによって、凹部形成領域Ｎ１に対応する部分には、パルプ、ＳＡＰの吸収材料を堆積させないように吸収体マットを作成し、工程（１）で作成された吸収体マットに積層させる。これにより所定の吸収体マットが作成される。  
（３）その後、上記所定の吸収体マットは被覆部材１８により包まれ、被覆部材１８と吸収体マットとがホットメルト等により接着されて、吸収体１３が作成される。  
（４）作成された吸収体１３をおむつ一枚分の大きさに切断する。  
（５）切断した吸収体１３にトップシート１４を積層する。  
（６）トップシート１４と吸収体１３とを合わせ、凹部形成領域Ｎ１に相当する領域をエンボスロールにより圧縮し、吸収体１３に凹部２０を形成する。
【００３４】
工程（３）での吸収体１３に対する吸引搬送や、工程（６）のエンボス加工などによって、凹部形成領域Ｎ１に対応する部分、つまり、吸収体１３のうち吸収材料の堆積量が少ない部分に被覆部材１８が接着され、例えば図５に示すように、凹部形成領域Ｎ１における凹部２０が形成されていない部分の吸収体１３の厚みと、凹部非形成領域Ｎ２における吸収体１３の厚みとが等しくなる。なお、本発明では、凹部形成領域Ｎ１における凹部２０が形成されていない部分の吸収体１３の厚みと、凹部非形成領域Ｎ２における吸収体１３の厚みとは、等しくなくてよく、凹部形成領域Ｎ１における凹部２０が形成されていない部分の吸収体１３の厚みの方が厚くてもよいし、薄くてもよい。
【００３５】
従来、吸収体の目付けが全体的に多いと、柔軟性が損なわれたり、余分な厚みが出たりして、装着時のフィット性が損なわれる点を鑑み、吸収体に複数の圧搾溝を形成し、その圧搾溝において折れ曲げやすくすることにより、着用者の肌に対するフィット性の改善を図ろうとした吸収性物品があった。
【００３６】
しかしながら、このような吸収性物品では、圧搾溝は吸収体を圧縮して形成されているので、その圧搾溝の底部分および側壁部分は高密度となって固くなっており、想定されていた折れ曲がりやすさが実現できないおそれがあった。また、このような吸収性物品では、吸収体表面の全域に亘って圧搾溝が形成されている場合、体液が当該圧搾溝を通って吸収体の端部まで至り、勢い付いた体液によって横漏れや背腹漏れが発生する可能性があった。
【００３７】
本実施形態によれば、凹部が形成される吸収体の領域の坪量が低くなるので、その領域において圧搾溝の底部分および側壁部分が柔らかくなり、圧搾溝にて折れ曲がり易くなる結果、吸収性物品のフィット性を向上させることが可能となる。
【００３８】
また、凹部形成領域Ｎ１、つまり硬化しがちな圧搾領域において、必要最低限の目付け量とすることにより、資材の削減によるコスト低減を図ることができる。
【００３９】
さらに、本実施形態によれば、凹部非形成領域Ｎ２により、凹部２０を伝ってきた体液を堰き止め（または体液の勢いを弱め）ることができるため、横漏れや背腹漏れを抑制することが可能となる。
【００４０】
＜その他＞  
本発明は、上述した実施形態や、随所に述べた変形例に限られることなく、本発明の技術的思想から逸脱しない範囲で、適宜の変更や変形が可能である。
【００４１】
例えば、上記実施形態またはその変形例に係るおむつの構造は、上述したような展開型に限定されるわけではなく、特許請求の範囲に規定された吸収性物品の構成を含むおむつでありさえすれば、どのような構成であってもよい。例えば、パンツ型の使い捨ておむつや、尿パッド等であっても本発明を適用可能である。
【００４２】
加えて、上記実施形態またはその変形例は、乳幼児向けのおむつに限らず、成人向けのおむつ、尿パッドなど、各種吸収性物品に適用可能である。
【００４３】
また、上記実施形態では、吸収体１３のトップシート１４側に凹部形成領域Ｎ１が設けられるが、これに限られない。例えば、吸収体１３のバックシート１２側に凹部形成領域Ｎ１が設けられたり、吸収体１３のトップシート１４側およびバックシート１２側（吸収体１３の両面）に凹部形成領域Ｎ１が設けられたりしてもよい。
【００４４】
さらに、上記実施形態では、複数の凹部２０が吸収体１３の表面に連続して形成されることで、斜め格子状の配列パターンが出来上がっているが、これに限られない。例えば、複数の凹部２０は、吸収体１３の表面に間欠的に形成されてもよいし、凹部２０の配列パターンは、例えば、三角形、六角形等の多角形の配列パターン、直線状、曲線状、または波状のものを並列したパターン等様々な配列パターンであってもよい。
【符号の説明】
【００４５】
Ｍ１  後身頃部分
Ｍ２  股下部分
Ｍ３  前身頃部分
Ｍ２・Ｎ１  中央領域
Ｎ１  凹部形成領域
Ｎ２  凹部非形成領域
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ｎ、１５Ｎ  切欠き部
１２  バックシート（裏面シート）
１３  吸収体
１４  トップシート（表面シート）
１５  サイドシート
１６、１９  糸ゴム
１７  吸収性コア
１８  被覆部材
２０  凹部
【図１】
2019024606.tif 000003
【図２】
2019024606.tif 000004
【図３】
2019024606.tif 000005
【図４】
2019024606.tif 000006
【図５】
2019024606.tif 000007